(57)【要約】      （修正有）【課題】床面の地上高を上げずに、床面と走行用装置との間に充分な隙間を確保し、床面に段差が生じず、且つ充分な強度、剛性を有する車両の床構造を提供する。【解決手段】シャシフレームに搭載された走行用装置と、シャシフレームの上方に配設される乗員用床材と、シャシフレームと床材との間に介装され床材を固定するフロアフレームとを備えた車両の床構造において、走行用装置と対向する床の位置に、車幅方向へ間隔を有し、車両前後方向に延在し、フロアフレームより上下方向の高さが低く、且つフロアフレームに固着される左右一対のシル部材と、シル部材間を架橋し車両前後方向に間隔を有して上面がシル部材の上面以上の高さに配設された複数のパネルサポート材と、シル部材及びパネルサポート部材の上面を覆うパネル部材と、パネル部材の上面に床材の厚さより薄く且つ床材の端縁に当接するとともに床材の上面と略面一に配設された薄板床材とを備えた。【選択図】図２
2010100109.tif 000002
【特許請求の範囲】
【請求項１】
車両のシャシフレームに搭載された前記車両の走行用装置と、前記シャシフレームの上方に配設される乗員用床材と、前記シャシフレームと前記床材との間に介装され前記床材を固定するフロアフレームとを備えた車両の床構造において、
前記走行用装置と対向する前記床の位置に、車幅方向へ間隔を有し、車両前後方向に延在し、前記フロアフレームより上下方向の高さが低く、且つ前記フロアフレームに固着される左右一対のシル部材と、
前記左右一対のシル部材間を架橋し車両前後方向に間隔を有して上面が前記一対のシル部材の上面以上の高さ位置に配設された複数のパネルサポート材と、
前記左右一対のシル部材及び前記パネルサポート部材の上面を覆うパネル部材と、
前記パネル部材の上面に前記床材の厚さより薄く且つ前記床材の端縁に当接するとともに前記床材の上面と略面一に配設された第１の薄板床材とを備えたことを特徴とする車両の床構造。
【請求項２】
前記パネル部材の端縁に当接するとともに、前記パネル部材の上面と略面一に配設され、複数に分割された部材からなる第２の薄板床材を設け、
前記第１の薄板床材を前記パネル部材及び第２の薄板床材の上面に配設したことを特徴とする請求項１記載の車両の床構造。
【請求項３】
前記床材及び前記第１の薄板床材との上面にフロアカバーを貼り付け、前記床材と第１の薄板床材との当接部を覆うことを特徴とする請求項１又は２記載の車両の床構造。
【請求項４】
前記床材及び前記第１の薄板床材夫々の当接面は夫々の床面に対し略直角に切断され、当接面の少なくとも上側には隙間が生じないようにしたことを特徴とする請求項１〜３何れかに記載の車両の床構造。
【発明の詳細な説明】
【技術分野】
【０００１】
本発明は、車両の床構造に関するものであり、詳しくは床の下方にエンジン、トランスミション等の走行用装置が配設される車両における床構造に関するものである。
【背景技術】
【０００２】
バスなどの大型車両は床の下方にエンジン、トランスミッション等の走行用装置が配設されている。このような車両においては、従来は後述するボデーフレームを車両のシャシフレーム上方に取り付けられたフロアフレームに固定し、該ボデーフレーム上面に床面を固定していた。前記ボデーフレームは、車幅方向へ間隔を有し、車両前後方向に延在し、且つ前記フロアフレームに固着される左右一対のシル部材と、車幅方向に延在するように前記左右一対のシル部材の両方に取り付けられる角パイプと、該角パイプに車両の前後方向に取り付けられるシル部材とから構成されている。
【０００３】
近年、排出ガス浄化及び燃費向上等のために車両の床下に装着される装置が増加、大型化し、該装置上面と前記床面下面とが接触しないように、車両に搭載される諸機器のレイアウトにも工夫が必要となっている。
【０００４】
前記レイアウトを工夫した技術として、例えば特許文献１には車両前側から後方に向かってエンジン、トランスミッション、ＤＰＦの順に配置され、その一部が室内床面から室内側に突出し、突出した当該部を覆うカバー構造において、前記カバーの突出立ち上がり傾斜した足踏み部と、該足踏み部の室内側に装着され、前記足踏み部との間に空気層を形成する足踏み板とを備え、該足踏み板の室内側に樹脂シートを貼着した床部構造が開示されている。
【０００５】
【特許文献１】特開２００８−１２６７０５号公報
【発明の開示】
【発明が解決しようとする課題】
【０００６】
しかしながら、特にフロントエンジンの小型バス等においてはトランスミッションが大きくなっているため、該トランスミッションのレイアウトの工夫にも限界があり、床下面とトランスミッション上面との余裕隙間が小さくなっている。そのため、最悪条件の場合、床下面とトランスミション上面とが干渉する可能性がある。
【０００７】
一方、車両の乗降性を考慮すると、床面の地上高を上げることはできないことに加え、しかもトランスミッション上方の床面とその他の床面とは段差が無いようにする必要があるとともに、床面は乗員の重さに耐えうる強度、剛性が必要である。
【０００８】
従って、本発明はかかる従来技術の問題に鑑み、床面の地上高を上げることなく、床面と走行用装置との間に充分な隙間を確保し、床面に段差が生じず、且つ充分な強度、剛性を有する車両の床構造を提供することを目的とする。
【課題を解決するための手段】
【０００９】
上記課題を解決するため本発明においては、車両のシャシフレームに搭載された前記車両の走行用装置と、前記シャシフレームの上方に配設される乗員用床材と、前記シャシフレームと前記床材との間に介装され前記床材を固定するフロアフレームとを備えた車両の床構造において、前記走行用装置と対向する前記床の位置に、車幅方向へ間隔を有し、車両前後方向に延在し、前記フロアフレームより上下方向の高さが低く、且つ前記フロアフレームに固着される左右一対のシル部材と、前記左右一対のシル部材間を架橋し車両前後方向に間隔を有して上面が前記一対のシル部材の上面以上の高さ位置に配設された複数のパネルサポート材と、前記左右一対のシル部材及び前記パネルサポート部材の上面を覆うパネル部材と、前記パネル部材の上面に前記床材の厚さより薄く且つ前記床材の端縁に当接するとともに前記床材の上面と略面一に配設された第１の薄板床材とを備えたことを特徴とする。
【００１０】
前記左右一対のシル部材を前記フロアフレームの高さよりも低くして、且つ前記薄板床材の上面を前記床材の上面と略面一としたので、床面の地上高を上げることなく、シャシフレームに搭載された車両の走行用装置の上部と床面下部とに大きな隙間を確保することができるとともに、前記第１の薄板床材と床材との間に段差が生じない。
【００１１】
さらに、前記パネルサポート部材を設けるとともに、前記シル部材とパネルサポート部材との上面を前記パネル部材で覆う構造としたため、乗員の重さに耐えうる強度、剛性を確保することができる。
【００１２】
また、前記パネル部材の端縁に当接するとともに、前記パネル部材の上面と略面一に配設され、複数に分割された部材からなる第２の薄板床材を設け、前記第１の薄板床材を前記パネル部材及び第２の薄板床材の上面に配設したことを特徴とする。
【００１３】
第２の薄板床材を複数に分割して設けることで、前記シル部材の公差に影響されにくく、車両への組み付け性が向上する。
【００１４】
前記第２の薄板床材を設け、該第２の薄板床材と前記パネル部材との上面に前記第１の薄板床材を配設置することで、客室床上面に現れる床材間の継ぎ目を少なくすることができる。
つまり、前記第１の薄板床材によって、前記パネル部材と第２の薄板床材との間、及び分割された第２の薄板床材の部材間に生じる隙間を上方から塞ぐため、客室床上面に現れる床材間の隙間を少なくすることができ、これにより、該隙間に埃、泥等が入ることを防止することができるとともに、該隙間が客室床上面に現れず床面の見栄えが損なわれることを防止することができる。
【００１５】
また、前記床材及び前記第１の薄板床材との上面にフロアカバーを貼り付け、前記床材と第１の薄板床材との当接部を覆うことを特徴とする。
前記フロアカバーとして、例えばポリ塩化ビニル製のものを使用することができる。
【００１６】
前記フロアカバーで床上面を覆うことで、前記床材と薄板床材との当接部が床上から見えず、見栄えが良くなると共に、乗員の床に対する踏み心地がよくなる。
【００１７】
また、前記床材及び前記第１の薄板床材夫々の当接面は夫々の床面に対し略直角に切断され、当接面の少なくとも上側には隙間が生じないようにしたことを特徴とする。
【００１８】
前記床材及び第１の薄板床材の少なくとも一方の当接面にＲ部が生じていると、該当接面に隙間が生じ、該隙間に埃、泥等が入って見栄えが悪くなるとともに、前記フロアカバーで覆ってもフロアカバー上に当接部の線が現れて見栄えを損ない、フロアカバーの膨れや剥がれが生じる可能性がある。しかし、前記床材及び前記薄板床材夫々の当接面は夫々の床面に対し略直角に切断され、当接面の少なくとも上側には隙間が生じないようにすることで、前記隙間が生じないため、前記見栄えの悪化、フロアカバーの膨れや剥がれの原因を無くすことができる。
【発明の効果】
【００１９】
以上記載のごとく本発明によれば、床面の地上高を上げることなく、床面と走行用装置との間に充分な隙間を確保し、床面に段差が生じず、且つ充分な強度、剛性を有する車両の床構造を提供することができる。
【発明を実施するための最良の形態】
【００２０】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００２１】
図１は、本発明の床構造を有する車両内部の一部斜視図である。本実施例１においては、車両としてフロントエンジンの小型バスを例示して説明する。
車両２の側部には、乗員の乗降口となる出入口４が形成されている。出入口４よりも車両前方には、車両の前後方向に延在するシャシフレーム（不図示）上に床面６が形成されており、床面６上には運転席（不図示）が設置され、床面６の車両下側では前記シャシフレームにエンジンが搭載される。また、出入口４の車両後方には、前記シャシフレーム上に車両前後方向に複数に分割された乗客用の床材８（図１においては分割された１つのみ図示）が形成されており、該床材８上には客席（不図示）が設置される。
【００２２】
また、出入口４と車両前後方向略同位置には、前記シャシフレーム上に本発明の床構造体１０が設置され、床構造体１０の車両下側では前記シャシフレームにトランスミッション（不図示）が搭載されている。
前記トランスミッションは排出ガス浄化及び燃費向上等のため大型化しており、そのため本発明の床構造体１０は、トランスミッション上部と接触しないように構成されている。
【００２３】
前記床構造体１０の構成について図１、図２、図３、図５及び図６を用いて説明する。
図２は図１におけるＡ−Ａ断面図であり、図３は図１におけるＢ−Ｂ断面図、図５は床構造体１０を形成するボデーフレームの斜視図、図６は床構造体１０を形成するフロアボードの斜視図である。
【００２４】
床構造体１０は、ボデーフレーム２０と、フロアボード３０とから主に構成されており、前記シャシフレーム上に設けられたフロアフレーム４２にボデーフレーム２０が固着されている。
【００２５】
ボデーフレーム２０は、断面が略ハット型で下側に開口部を配した状態で車幅方向へ間隔を有し、車両前後方向に延在し、前記フロアフレーム４２に固着される左右一対のシル部材２２と、断面が略Ｕ字型で下側に開口部を配した状態でシル部材２２を架橋し車両前後方向に間隔を有して設けられた複数（本実施例においては２つ）のパネルサポート材２６と、前記左右一対のシル部材２２と３つのパネルサポート材２６の上面を覆うようなパネル部材２４から構成されている。さらに、パネルサポート材２６は、左右一対のシル部材２２それぞれに溶接によって固着される。また、シル部材２２の高さａは、フロアフレーム４２の高さｄよりも低く、水上面はフロアフレーム４２の上面と略同一になっている。また、パネル部材２４は図２に示したように断面凹型の形状をしている。また、パネルサポート部材２６をシル部材２２に固着する時のパネルサポート部材２６の上面位置は、シル部材２２の上面より上方に突出し、且つ、パネルサポート部材２６の上に載置されるパネル部材２４及びパネル部材２４の上に更に載置されるフロアボード３０夫々の板厚を加算したときに、他のエリアのフロアボード上面と略面一になるよう考慮して決める。
【００２６】
以上のような構成のボデーフレーム２０を用いることで、ボデーフレーム２０を構成するパネル部材２４の下側には空間２８が形成され、該空間２８を利用するとボデーフレーム２０の下側に従来よりも大型のトランスミッションの搭載が可能となる。
【００２７】
さらに、パネルサポート部材２６を設けるとともに、シル部材２２とパネルサポート部材２６との上面を前記パネル部材２４で覆う構造とすることで、ボデーフレーム２０は乗員の重さに耐えうる強度、剛性を確保することができる。
【００２８】
また、前記フロアボード３０は、材質が木材で製作され１枚のアッパフロアボード３２と３枚のロアフロアボード３４、３６、３８から形成されている。
ロアフロアボード３４、３６、３８は、それぞれパネル部材２４とその側部で当接し、さらにロアフロアボード３４と３６、ロアフロアボード３６と３８がその側部でそれぞれ当接するように配置されている。さらに、図３に示したように、ロアフロアボード３４は、ロアフロアボード３６及びパネル部材２４と当接する側部とは対辺の関係にある側部で、サイドパネル５６の取り付けられたフロアレール４３と当接し、ロアフロアボード３８は、ロアフロアボード３６及びパネル部材２４と当接する側部とは対辺の関係にある側部で、出入口４と当接している。また、ロアフロアボード３４、３６、３８の上面が、パネル部材２４の上面と略面一となるように、ロアフロアボード３４、３６、３８の高さ（厚み）が設定されており、本実施例１においては図２に示したように６ｍｍである。
【００２９】
また、アッパフロアボード３２は、パネル部材２４及び３枚のロアフロアボード３４、３６、３８の上面全体を覆うように配設されている。また、アッパフロアボード３２の上面は、他のエリアの床材８の上面と略面一となるように、アッパフロアボード３２の高さ（厚み）が設定されており、本実施例１においては図２に示したように６ｍｍである。また床材８の高さ（厚み）は１２ｍｍであり、アッパフロアボード３２とロアフロアボード３４、３６、３８との高さ（厚み）の合計と同じである。なお図１にはアッパフロアボード３２は記載していない。
さらに、前記ロアフロアボード３４、３６、３８及びアッパフロアボード３２は、図１、図２に示したように床材８に当接するように構成されている。
【００３０】
以上のようにロアフロアボードを３枚に分割することで、ロアフロアボード３４、３６、３８をパネル部材２４に当接させる際に、シル部材２２の公差に影響されにくく、車両への組み付けが容易となる。
【００３１】
また、アッパフロアボード３２とロアフロアボード３４、３６、３８に分割された構成のフロアボード３０を用いることで、パネル部材２４とそれぞれのロアフロアボード３４、３６、３８との継ぎ目、ロアフロアボード３４と３６間の継ぎ目、ロアフロアボード３６と３８間の継ぎ目を、アッパフロアボード３２で覆うため、前記各継ぎ目は客室床上面に現れず、該隙間に埃、泥等が入ることを防止することができるとともに、客室床面の見栄えが損なわれることをも防止することができる。
また、ロアフロアボード３４、３６、３８とパネル部材２４の上面を略面一としたことでアッパフロアボード３２の取り付けが容易であり、アッパフロアボード３２と床材８との上面を面一としたことで床面全体に段差が生じないため、乗員の居住性が良い。
【００３２】
さらに、前記アッパフロアボード３２及び床材８にポリ塩化ビニル製のシート４０を貼り付け、アッパフロアボード３２、床材８及びその当接部１２を覆っている。
このようにシート４０を貼り付けることで、前記アッパフロアボード３２と床材８との当接部１２が床上から見えず見栄えが良くなると共に、乗員の床に対する踏み心地がよくなる。
【００３３】
さらに、床材８及びアッパフロアボード３２は木材であるためその当接面１２において夫々の床面に対し略直角に切断できる。これにより、鉄板の曲げ加工時に発生する曲げＲがないので当接面１２の少なくとも上側には隙間が生じないようにすることができる。
【００３４】
もし、前記床材８及びアッパフロアボード３２の少なくとも一方の当接面にＲ部が生じていると、該当接面に隙間が生じ、該隙間に埃、泥等が入って見栄えが悪くなり、たとえ前記シート４０で当接面を覆ってもシート４０上に当接部の線が現れて見栄えを損ない、さらにシート４０の膨れや剥がれが生じる可能性がある。しかし、床材８及びアッパフロアボード３２の当接面を夫々の床面に対し略直角に切断し、当接面の少なくとも上側には隙間が生じないようにすることで、前記隙間が生じないため、前記見栄えの悪化、シート４０の膨れや剥がれの原因を無くすことができる。
【００３５】
次に、図１及び図２を用いて、従来と本実施例におけるトランスミッション（床面下部に搭載される装置）の配置スペースについて比較する。なお、図２における点線は、比較のために従来のボデーフレームを書き入れたものであり、図４は図２におけるＣ−Ｃ断面の概略図である。
従来は車幅方向へ間隔を有し、車両前後方向に延在し、フロアフレーム４２に固着される左右一対のシル部材１２２と、車幅方向に延在し前記左右一対のシル部材１２２の両方に取り付けられる角パイプとその他図示しない部品からボデーフレームが形成され、該ボデーフレーム上に高さ（厚さ）１２ｍｍの床部材（不図示）が床材８の端縁と当接するとともに、前記床部材の上面と床材８の上面とが略面一となるように配設されていた。角パイプ１２６の車両上下方向の高さはシル部材１２２の高さｂと略同じであったため、シル部材１２２の高さｂを小さくすることはできなかった。
【００３６】
本実施例においては、断面凹型のパネル材２４を設けることで、前述のように高さｃのスペース２８が生じる。該スペース２８内に図２に示すようにパネルサポート材２６の上部が位置するように配設することで、シル部材２２はパネルサポート材２６の高さｃ分の高さは必要なく、パネルサポート材２６の高さ＜ａ＋ｃとなるような高さａのシル部材２２を用いればよい。従って、シル部材２２の下部位置をｂ−ａだけ従来より上方に位置させることができ、本実施例においてはシル部材２２下部のスペースも有効に活用することができるといえる。
なお、パネルサポート材２６と角パイプ１２６の高さが同じであるとすると、ｂ−ａ＝ｃとなる。
【産業上の利用可能性】
【００３７】
床面の地上高を上げることなく、床面と走行用装置との間に充分な隙間を確保し、床面に段差が生じず、且つ充分な強度、剛性を有する車両の床構造として利用することができる。
【図面の簡単な説明】
【００３８】
【図１】本発明の床構造を有する車両内部の一部斜視図である。
【図２】図１におけるＡ−Ａ断面図である。
【図３】図１におけるＢ−Ｂ断面図である。
【図４】図２におけるＣ−Ｃ断面の概略図である。
【図５】ボデーフレームの斜視図である。
【図６】フロアボードの斜視図である。
【符号の説明】
【００３９】
２    車両
８    床材
２０    ボデーフレーム
２２    シル部材
２４    パネル部材
２６    パネルサポート材
３０    フロアボード
３２    アッパフロアボード（薄板床材）
３４、３６、３８    ロアフロアボード（第２の薄板床材）
４０    シート（フロアカバー）
【図１】
2010100109.tif 000003
【図２】
2010100109.tif 000004
【図３】
2010100109.tif 000005
【図４】
2010100109.tif 000006
【図５】
2010100109.tif 000007
【図６】
2010100109.tif 000008